(57)【特許請求の範囲】
【請求項１】
ディスク媒体のレーベル面に印刷処理を行うディスクプリンター、前記ディスク媒体に書込み処理を行うディスクドライブ、及び前記ディスク媒体の搬送処理を行うオートローダーを有するパブリッシャーを制御するホスト装置で、通信インターフェースの情報を含む前記パブリッシャーとのデータ転送経路の経路情報に基づいて、前記データ転送経路でのデータ転送の転送モードを判別し、
判別した前記転送モードと前記ディスクプリンターの転送モードへの対応情報とに基づいて、前記ディスクプリンターの、転送モードに応じて動作する動作モードを報知すると共に、判別した前記転送モードと前記ディスクドライブの転送モードへの対応情報とに基づいて、前記ディスクドライブの前記動作モードを報知すると共に、判別した前記転送モードと前記オートローダーの転送モードへの対応情報とに基づいて、前記オートローダーの前記動作モードを報知することを特徴とするホスト装置の制御方法。
【請求項２】
前記転送モードにより、データ転送の転送速度が異なる請求項１に記載のホスト装置の制御方法。
【請求項３】
前記転送モードは、ＵＳＢ規格の転送モードである請求項２に記載のホスト装置の制御方法。
【請求項４】
前記経路情報は、
前記ホスト装置の前記通信インターフェースでの転送モードへの対応情報と、前記ホスト装置のドライバーソフトでの転送モードへの対応情報を含む請求項１ないし３のいずれか１項に記載のホスト装置の制御方法。
【請求項５】
前記ホスト装置は、表示部を有し、
前記表示部により、前記ディスクプリンターの前記動作モードを表示すると共に、前記ディスクドライブの前記動作モードを表示すると共に、前記オートローダーの前記動作モードを表示する請求項１ないし４のいずれか１項に記載のホスト装置の制御方法。
【請求項６】
ディスク媒体のレーベル面に印刷処理を行うディスクプリンター、前記ディスク媒体に書込み処理を行うディスクドライブ、及び前記ディスク媒体の搬送処理を行うオートローダーを有するパブリッシャーを制御するホスト装置に、通信インターフェースの情報を含む前記パブリッシャーとのデータ転送経路の経路情報に基づいて、前記データ転送経路でのデータ転送の転送モードを判別させ、判別した前記転送モードと前記ディスクプリンターの転送モードへの対応情報とに基づいて、前記ディスクプリンターの、転送モードに応じて動作する動作モードを報知させると共に、判別した前記転送モードと前記ディスクドライブの転送モードへの対応情報とに基づいて、前記ディスクドライブの前記動作モードを報知させると共に、判別した前記転送モードと前記オートローダーの転送モードへの対応情報とに基づいて、前記オートローダーの前記動作モードを報知させるためのプログラム。
【請求項７】
ディスク媒体のレーベル面に印刷処理を行うディスクプリンター、前記ディスク媒体に書込み処理を行うディスクドライブ、及び前記ディスク媒体の搬送処理を行うオートローダーを有するパブリッシャーと１の通信ケーブルで接続する通信インターフェースと、
前記通信インターフェースの情報を含む前記パブリッシャーとのデータ転送経路の経路情報に基づいて、前記データ転送経路でのデータ転送の転送モードを判別するモード判別部と、
判別した前記転送モードと前記ディスクプリンターの転送モードへの対応情報とに基づいて、前記ディスクプリンターの、転送モードに応じて動作する動作モードを報知すると共に、判別した前記転送モードと前記ディスクドライブの転送モードへの対応情報とに基づいて、前記ディスクドライブの前記動作モードを報知すると共に、判別した前記転送モードと前記オートローダーの転送モードへの対応情報とに基づいて、前記オートローダーの前記動作モードを報知するモード報知部と、を備えることを特徴とするホスト装置。
【発明の詳細な説明】
【技術分野】
【０００１】
本発明は、パブリッシャー等の、独立して動作可能な複数の処理デバイスを有する複合型の電子機器を制御するホスト装置の制御方法、プログラムおよびホスト装置に関するものである。
【背景技術】
【０００２】
従来、メディア処理システムとして、ＣＤやＤＶＤ等の円板状のメディアに対してデータの読み書きを行うと共に、メディアのレーベル面に印刷を行うメディア処理装置（パブリッシャー）と、メディア処理装置に接続されるホストコンピューター（ホスト装置）と、から構成されたものが知られている（特許文献１参照）。このメディア処理装置は、メディアにデータの書き込みを行う２台のメディアドライブと、メディアのレーベル面に印刷を行うレーベルプリンターと、メディアを把持して搬送可能なメディア搬送機構と、を備えている。そして、メディアドライブ、レーベルプリンターおよびメディア搬送機構の動作は、ホストコンピューターにより制御可能になっている。
【先行技術文献】
【特許文献】
【０００３】
【特許文献１】特開２００９−７６１４２号公報
【発明の概要】
【発明が解決しようとする課題】
【０００４】
ところで、この種のメディア処理システムにおいて、ＵＳＢ３．０（Ｕｎｉｖｅｒｓａｌ  Ｓｅｒｉａｌ  Ｂｕｓ  ３．０）に対応したメディア処理装置を適用したものが知られている。このＵＳＢ３．０に対応したメディア処理装置は、その一部の処理デバイス（例えばメディアドライブ）が、ＵＳＢ３．０に対応した動作モードで動作可能に構成されており、ＵＳＢ３．０の転送モードでデータ転送を受け取った際、当該一部の処理デバイスがＵＳＢ３．０の動作モードで動作する。
しかしながら、かかる構成では、ユーザーから、各処理デバイスがＵＳＢ３．０の動作モードで動作しているか否かを把握することが困難であるという問題があった。すなわち、第１に、データ転送の転送モードに応じて、動作モードが決定するので、ＵＳＢ３．０の動作モードで動作可能な処理デバイスであっても、ＵＳＢ３．０の動作モードで動作しているとは限らない。例えば、ユーザーが誤って、ＵＳＢ３．０に対応していないホストコンピューターや通信ケーブルを使用した場合、ＵＳＢ２．０の転送モードでデータ転送が行われ、ＵＳＢ２．０の動作モードで動作してしまう。これをユーザーが把握することは難しい。第２に、ユーザーからは、どの処理デバイスがＵＳＢ３．０の動作モードで動作可能であるか自体、把握するのが煩雑である。このように、ユーザーが、各処理デバイスの動作モードを容易に把握することが困難であるという問題がある。各処理デバイスの動作モードを把握できないと、各処理デバイスのパフォーマンス（処理速度）が低い原因が、動作モードにあるか否かが分からず、サポートセンター等における電話サポートの際、問題点を迅速に把握することができない。
【０００５】
本発明は、ユーザーが、処理デバイス毎の動作モードを容易に把握することができるホスト装置の制御方法、プログラムおよびホスト装置を提供することを課題としている。
【課題を解決するための手段】
【０００６】
本発明のホスト装置の制御方法は、ディスク媒体のレーベル面に印刷処理を行うディスクプリンター、ディスク媒体に書込み処理を行うディスクドライブ、及びディスク媒体の搬送処理を行うオートローダーを有するパブリッシャーを制御するホスト装置で、通信インターフェースの情報を含むパブリッシャーとのデータ転送経路の経路情報に基づいて、データ転送経路でのデータ転送の転送モードを判別し、判別した転送モードとディスクプリンターの転送モードへの対応情報とに基づいて、ディスクプリンターの、転送モードに応じて動作する動作モードを報知すると共に、判別した転送モードとディスクドライブの転送モードへの対応情報とに基づいて、ディスクドライブの動作モードを報知すると共に、判別した転送モードとオートローダーの転送モードへの対応情報とに基づいて、オートローダーの動作モードを報知することを特徴とする。
【０００７】
この場合、転送モードにより、データ転送の転送速度が異なることが好ましい。
【０００８】
この場合、転送モードは、ＵＳＢ規格の転送モードであることが好ましい。
【００１０】
本発明のホスト装置は、ディスク媒体のレーベル面に印刷処理を行うディスクプリンター、ディスク媒体に書込み処理を行うディスクドライブ、及びディスク媒体の搬送処理を行うオートローダーを有するパブリッシャーと１の通信ケーブルで接続する通信インターフェースと、通信インターフェースの情報を含むパブリッシャーとのデータ転送経路の経路情報に基づいて、データ転送経路でのデータ転送の転送モードを判別するモード判別部と、判別した転送モードとディスクプリンターの転送モードへの対応情報とに基づいて、ディスクプリンターの、転送モードに応じて動作する動作モードを報知すると共に、判別した転送モードとディスクドライブの転送モードへの対応情報とに基づいて、ディスクドライブの動作モードを報知すると共に、判別した転送モードとオートローダーの転送モードへの対応情報とに基づいて、オートローダーの動作モードを報知するモード報知部と、を備えることを特徴とする。
【００１１】
これらの構成によれば、ホスト装置が、データ転送の転送モードと、各処理デバイスの転送モードの対応情報とに基づいて、各処理デバイスの動作モードを認識し、これをユーザーに報知する。これにより、ユーザーが、処理デバイス毎の動作モードを容易に把握することができる。よって、パフォーマンスが低い原因が、動作モードにあるか否かが分かり、サポートセンター等において、問題点を迅速に把握することができる。
【００１２】
上記のホスト装置の制御方法において、経路情報は、ホスト装置の通信インターフェースでの転送モードへの対応情報と、ホスト装置のドライバーソフトでの転送モードへの対応情報を含むことが好ましい。
【００１３】
この構成によれば、経路情報が、データ転送経路の各部における転送モードの対応情報を含むため、モード判別ステップでは、この対応情報に基づいて、転送モードを判別する。このように、データ転送経路の各部の対応情報に基づいて、転送モードを判別することで、例えば転送速度に基づいて判別するのに比べ、転送モードの判別処理を精度良く且つ容易に行うことができる。
【００１４】
一方、ホスト装置は、表示部を有し、表示部により、ディスクプリンターの動作モードを表示すると共に、ディスクドライブの動作モードを表示すると共に、オートローダーの動作モードを表示することが好ましい。
【００１５】
この構成によれば、ユーザーが、処理デバイス毎の動作モードを視認することができるため、処理デバイス毎の動作モードを、より容易に把握することができる。
【００１８】
本発明のプログラムは、ディスク媒体のレーベル面に印刷処理を行うディスクプリンター、ディスク媒体に書込み処理を行うディスクドライブ、及びディスク媒体の搬送処理を行うオートローダーを有するパブリッシャーを制御するホスト装置に、通信インターフェースの情報を含むパブリッシャーとのデータ転送経路の経路情報に基づいて、データ転送経路でのデータ転送の転送モードを判別させ、判別した転送モードとディスクプリンターの転送モードへの対応情報とに基づいて、ディスクプリンターの、転送モードに応じて動作する動作モードを報知させると共に、判別した転送モードとディスクドライブの転送モードへの対応情報とに基づいて、ディスクドライブの動作モードを報知させると共に、判別した転送モードとオートローダーの転送モードへの対応情報とに基づいて、オートローダーの動作モードを報知させることを特徴とする。
【００１９】
この構成によれば、本プログラムを搭載するだけで、上記のホスト装置の制御方法における各ステップを実行させることができる。
【図面の簡単な説明】
【００２０】
【図１】一実施形態に係るメディア処理システムのシステム構成図である。
【図２】パブリッシャーの管理画面を示した図である。
【図３】デバイス表示領域の表示動作を示したフローチャートである。
【発明を実施するための形態】
【００２１】
以下、添付の図面を参照し、本発明の一実施形態に係るホスト装置の制御方法、プログラムおよびホスト装置について説明する。本実施形態では、ホスト装置の制御方法を適用したメディア処理システムを例示する。このメディア処理システムは、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光学記録媒体であるディスク媒体を処理対象とした処理システムである。また、本メディア処理システムは、各処理デバイスの動作モードが、ＵＳＢ３．０に対応した動作モード（以下、ＵＳＢ３．０動作モードと呼称）であるか、ＵＳＢ２．０に対応した動作モード（以下、ＵＳＢ２．０動作モードと呼称）であるかを表示する機能を有している。
【００２２】
図１に示すように、メディア処理システム１は、ディスク媒体に対して書込み処理およびレーベル面の印刷処理を行うパブリッシャー（複合型の電子機器）２と、パブリッシャー２を制御するホストコンピューター３と、で構成されている。また、パブリッシャー２およびホストコンピューター３は、単一のＵＳＢケーブル（通信ケーブル）４を介して接続されており、ＵＳＢ２．０に対応した転送モード（以下、ＵＳＢ２．０転送モードと呼称）、またはＵＳＢ３．０に対応した転送モード（以下、ＵＳＢ３．０転送モードと呼称）で、データ通信を行う。なお、ＵＳＢ２．０は、従来のＵＳＢ１．１に、ハイスピードモード（４８０Ｍｂｐｓ）を追加したＵＳＢ規格であり、本発明でのＵＳＢ２．０転送モードは、このハイスピードモードを指す。また、ＵＳＢ３．０は、ＵＳＢ２．０に、スーパースピードモード（５．０Ｇｂｐｓ）を追加したＵＳＢ規格であり、本発明でのＵＳＢ３．０転送モードは、このスーパースピードモードを指す。
【００２３】
パブリッシャー２は、ホストコンピューター３からデータ転送されたデータ（イメージファイル、印刷データおよび搬送制御データ）に従って、セットした枚葉のディスク媒体を順次処理していく。具体的には、パブリッシャー２は、ホストコンピューター３との通信を行う通信インターフェース１１と、数十枚程度のディスク媒体を積載状態で収容する４つのスタッカー１２と、ディスク媒体の記録面に対して書込み処理を行う２台のディスクドライブ１３と、ディスク媒体のレーベル面に対して印刷処理を行うディスクプリンター１４と、ディスク媒体の搬送処理を行うオートローダー１５と、受信したデータを各処理デバイス（２台のディスクドライブ１３、ディスクプリンター１４およびオートローダー１５）に分配するデータ中継・分配部１６と、を備えている。複数の処理デバイスは、独立して動作可能であり、データ中継・分配部１６から分配されたデータに従って個々に動作する。
【００２４】
そして、パブリッシャー２は、ＵＳＢ３．０に対応したＵＳＢ機器である。厳密には、２台のディスクドライブ１３が、ＵＳＢ２．０転送モードおよびＵＳＢ３．０転送モードに対応している。つまり、ＵＳＢ２．０動作モードおよびＵＳＢ３．０動作モードで動作可能である。一方、ディスクプリンター１４およびオートローダー１５が、ＵＳＢ２．０転送モードに対応しＵＳＢ３．０転送モードに対応していない。つまり、ＵＳＢ２．０動作モードで動作可能であり、ＵＳＢ３．０動作モードで動作可能ではない。
【００２５】
データ中継・分配部１６は、ホストコンピューター３からデータ転送されたデータを、各処理デバイスに出力（分配）する。すなわち、データ中継・分配部１６は、各ディスクドライブ１３に、受信したイメージファイルを順次出力する。また、ディスクプリンター１４に、受信した印刷データを順次出力する。さらに、オートローダー１５に、受信した搬送制御データを順次出力する。
【００２６】
ホストコンピューター３は、一般的なパーソナルコンピューター等を利用可能であり、キーボードやマウス等を有する入力機構２１と、ディスプレイ等を有する表示機構（表示部）２２と、パブリッシャー２との通信を行う通信インターフェース２３と、各部を制御する制御機構２４と、を備えている。制御機構２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびハードディスク等により構成される。そして、制御機構２４に、パブリッシャー２用の管理アプリケーション３１およびドライバーソフト３２をインストールすることで、ホストコンピューター３が、パブリッシャー２の制御装置として機能する。
【００２７】
パブリッシャー２用のドライバーソフト３２は、統括制御部４１と、イメージファイル生成部４２と、印刷データ生成部４３と、２つのドライブ制御部４４と、プリンター制御部４５と、ローダー制御部４６と、を備えている。イメージファイル生成部４２は、入力されたコンテンツデータを変換して、ディスクドライブ１３で書込可能なイメージファイルを生成する。印刷データ生成部４３は、入力された画像ファイルを変換して、ディスクプリンター１４で印刷可能な印刷データ（例えばＰＲＮファイル）を生成する。
【００２８】
統括制御部４１は、メディア処理システム１における各部の管理情報や処理設定を記憶すると共に、ディスク媒体に対する一連の処理をスケジューリングし、パブリッシャー２の各部の動作手順を制御する。統括制御部４１は、この制御により、２台のディスクドライブ１３、ディスクプリンター１４およびオートローダー１５が、互いに干渉することなく効率的に処理を実行することができる。
【００２９】
各ドライブ制御部４４は、統括制御部４１のスケジューリングにのっとってパブリッシャー２の各ディスクドライブ１３に対してイメージファイルを順次出力して、各ディスクドライブ１３の書込み処理を制御する。プリンター制御部４５は、統括制御部４１のスケジューリングにのっとってパブリッシャー２のディスクプリンター１４に対して印刷データを順次出力して、ディスクプリンター１４の印刷処理を制御する。ローダー制御部４６は、統括制御部４１のスケジューリングにのっとって搬送制御データを生成し、これをパブリッシャー２のオートローダー１５に順次出力して、オートローダー１５の搬送処理を制御する。
【００３０】
パブリッシャー２用の管理アプリケーション３１は、表示機構２２に、パブリッシャー２の管理画面Ｓを表示させるアプリケーションである。具体的には、管理アプリケーション３１は、管理情報取得部５１と、転送モード判別部（モード判別部）５２と、管理画面表示部５３と、を備えている。モード報知部は、表示機構２２および管理画面表示部５３により構成されている。
【００３１】
管理情報取得部５１は、ドライバーソフト３２から、管理画面Ｓの表示に利用する情報を取得する。具体的には、管理情報取得部５１は、ドライバーソフト３２から、スケジュール情報と、ディスクプリンター１４のインク残量情報と、各スタッカー１２の管理情報と、各処理デバイスの動作情報と、を取得する。スケジュール情報は、統括制御部４１がスケジューリングしたスケジュールの情報である。ディスクプリンター１４のインク残量情報は、ディスクプリンター１４における各色（シアン、ライトシアン、ライトマゼンダ、マゼンダ、イエローおよびブラック）のインクの残量の情報である。各スタッカー１２の管理情報は、各スタッカー１２にセット／収容されているディスク媒体の積載量やディスク媒体の種類の情報、および各スタッカー１２に設定した役割（「供給元」、「排出先」等）の情報である。各処理デバイスの動作情報は、各処理デバイスの現在の動作状態（「動作中」、「待機中」あるいは「停止中」等）の情報である。
【００３２】
また、管理情報取得部５１は、ドライバーソフト３２から、ホストコンピューター３とパブリッシャー２とのデータ転送経路の経路情報と、各処理デバイスの各転送モードへの対応情報とを取得する。データ転送経路の経路情報は、ドライバーソフト３２、通信インターフェース２３およびＵＳＢケーブル４のそれぞれにおける各転送モードへの対応情報を含んでいる。本メディア処理システム１では、上記したように、データ転送の転送速度が相異するＵＳＢ規格毎の転送モードを有している。具体的には、ＵＳＢ２．０転送モードと、ＵＳＢ３．０転送モードとのいずれか一方の転送モードでデータ転送を行う。そのため、各転送モードへの対応情報は、ＵＳＢ２．０転送モードに対応しているか否かの情報、およびＵＳＢ３．０転送モードに対応しているか否かの情報を含んでいる。なお、本メディア処理システム１では、各部が少なくともＵＳＢ２．０転送モードに対応しているので、ＵＳＢ２．０転送モードに対応しているか否かの情報を省略する構成であっても良い。
【００３３】
転送モード判別部５２は、データ転送経路の経路情報に基づいて、当該データ転送経路における転送モードを判別する。具体的には、ドライバーソフト３２、通信インターフェース２３およびＵＳＢケーブル４の各転送モードへの対応情報を参照し、これら全てにおいてＵＳＢ３．０転送モードに対応している場合には、データ転送の転送モードが、ＵＳＢ３．０転送モードであると判定する。一方、いずれか一つでもＵＳＢ３．０転送モードに対応していない場合には、データ転送の転送モードが、ＵＳＢ２．０転送モードであると判定する。
【００３４】
管理画面表示部５３は、管理情報取得部５１の取得情報と、転送モード判別部５２の判別結果とに基づいて、表示機構２２により、パブリッシャー２の管理画面Ｓを表示する。図２は、管理画面Ｓを示した図である。図２（ａ）に示すように、管理画面Ｓは、スケジュール管理領域６１と、パブリッシャー状態表示領域６２と、インク残量表示領域６３と、処理デバイス毎のデバイス表示領域６４と、スタッカー状態表示領域６５と、を有している。図２は、ディスクドライブ２を２台（ドライブ１、ドライブ２）と、ディスクプリンター１４を１台（プリンター）とを含んだパブリッシャー２の管理画面を示している。
【００３５】
スケジュール管理領域６１は、スケジュール情報を表示すると共に、一時停止ボタン７１、再開ボタン７２、キャンセルボタン７３等の各種操作ボタンを有している。すなわち、スケジュール管理領域６１により、統括制御部４１のスケジュールを操作可能としている。
【００３６】
パブリッシャー状態表示領域６２では、ディスクプリンター１４のインク残量情報、各スタッカー１２の管理情報および各処理デバイスの動作情報を統括して、パブリッシャー２の状態を表示する。インク残量表示領域６３では、ディスクプリンター１４のインク残量情報を表示する。スタッカー状態表示領域６５では、各スタッカー１２の管理情報を表示する。
【００３７】
処理デバイス毎のデバイス表示領域６４では、各処理デバイスの動作情報を表示する。そして、各デバイス表示領域６４では、その背景色を色分けする形で処理デバイス毎の動作モードを表示する。すなわち、対応する処理デバイスの動作モードがＵＳＢ２．０動作モードである場合には、背景色を白色とし（色付けなし）、対応する処理デバイスの動作モードがＵＳＢ３．０動作モードである場合には、背景色を例えば水色に色づけする（図２（ｂ）参照）。なお、図２では、ハッチ掛けにより色付け部分を示すものとする。
【００３８】
処理デバイス毎の動作モードの表示は、各処理デバイスの各転送モードへの対応情報と、転送モード判別部５２の判別結果と基づいて行われる。ＵＳＢ３．０動作モードで動作可能な処理デバイス（２台のディスクドライブ１３）では、データ転送の転送モードに応じて、ＵＳＢ３．０動作モードとＵＳＢ２．０動作モードとの間で切り替えて動作する。これに対し、管理画面表示部５３は、各処理デバイスの各転送モードへの対応情報と、データ転送の転送モードとから、各処理デバイスの動作モードを把握し、これを各デバイス表示領域６４に反映させる。
【００３９】
ここで図３を参照して、管理アプリケーション３１によるデバイス表示領域６４の表示動作について説明する。本動作は、管理アプリケーション３１により管理画面Ｓを表示している間、定期的に行うものであり、各デバイス表示領域６４の表示を定期的に更新するものである。
【００４０】
図３に示すように、管理アプリケーション３１は、まず、管理情報取得部５１により、ドライバーソフト３２から、データ転送経路の経路情報と、各処理デバイスの各転送モードへの対応情報とを取得する（Ｓ１）。厳密には、ドライバーソフト３２に対しこれらの情報を要求する要求信号を出力し、ドライバーソフト３２からこれらの情報を受け付けて、これらの情報を取得する。
【００４１】
上記情報を取得したら、転送モード判別部５２により、データ転送経路の経路情報を参照し、データ転送の転送モードを判別する（Ｓ２〜Ｓ４：モード判別ステップ）。具体的には、ドライバーソフト３２、通信インターフェース２３およびＵＳＢケーブル４の各転送モードへの対応情報を参照し、これらの全てがＵＳＢ３．０転送モードに対応しているか否かを判別する（Ｓ２）。これらの全てがＵＳＢ３．０転送モードに対応している場合（Ｓ２：Ｙｅｓ）、データ転送の転送モードが、ＵＳＢ３．０転送モードであると判定する（Ｓ３）。一方、いずれか一つでもＵＳＢ３．０転送モードに対応していない場合には、データ転送の転送モードが、ＵＳＢ２．０転送モードであると判定する（Ｓ４）。
【００４２】
転送モードを判別したら、管理画面表示部５３により、その判別結果と、各処理デバイスの各転送モードへの対応情報とに基づいて、デバイス表示領域６４上で、処理デバイス毎の転送モードを表示する（Ｓ５、Ｓ６：モード報知ステップ）。具体的には、転送モードがＵＳＢ３．０転送モードであると判定したら（Ｓ３）、各処理デイバスの各転送モードへの対応情報を参照し、ＵＳＢ３．０転送モードに対応した処理デバイスである２台のディスクドライブ１３のデバイス表示領域６４について、その背景を色付けして表示する。加えて、ＵＳＢ３．０転送モードに対応していない処理デバイスであるディスクプリンター１４およびオートローダー１５のデバイス表示領域６４について、その背景を白色として表示する（Ｓ５：図２（ｂ）参照）。
【００４３】
一方、転送モードがＵＳＢ２．０転送モードである判定したら（Ｓ４）、全ての処理デバイスのデバイス表示領域６４について、その背景色を白色とする（Ｓ６：図２（ａ）参照）。これらによって、処理デバイス毎の動作モードを表示し、本動作を終了する。
【００４４】
以上の構成によれば、ホストコンピューター３が、データ転送の転送モードと、各処理デバイスの転送モードの対応情報とに基づいて、各処理デバイスの動作モードを認識し、これをユーザーに報知するので、ユーザーが、処理デバイス毎の動作モードを容易に把握することができる。よって、パフォーマンスが低い原因が、動作モードにあるか否かが分かり、サポートセンター等において、問題点を迅速に把握することができる。
【００４５】
また、各処理デバイスの転送モードへの対応情報に基づいて、転送モードを判別することで、例えば転送速度に基づいて判別するのに比べ、転送モードの判別処理を精度良く且つ容易に行うことができる。
【００４６】
さらに、処理デバイス毎の動作モードを報知するのに、表示機構２２により表示して報知するため、ユーザーが、処理デバイス毎の動作モードを視認することができ、処理デバイス毎の動作モードを、より容易に把握することができる。
【００４７】
なお、本実施形態においては、経路情報が、ドライバーソフト３２、通信インターフェース２３およびＵＳＢケーブル４の全てにおける各転送モードへの対応情報を含んでおり、これに基づいて転送モードを判別したが、経路情報が、ドライバーソフト３２、通信インターフェース２３およびＵＳＢケーブル４の少なくともいずれか１つにおける各転送モードへの対応情報を含んだ構成であり、これに基づいて転送モードを判別する構成であれば、これに限るものではない。例えば、経路情報を、通信インターフェース２３のみにおける各転送モードへの対応情報とし、これに基づいて転送モードを判別する構成であっても良い。
【００４８】
また、本実施形態においては、ＵＳＢ規格毎の転送モードとして、ＵＳＢ２．０転送モードまたはＵＳＢ３．０転送モードでデータ転送する構成であったが、ＵＳＢ規格毎の転送モードでデータ転送を行う構成であれば、例えば、上記転送モードに加え、ＵＳＢ１．１に対応した転送モードでデータ転送を行う構成であっても良い。かかる場合、転送モード判別部５２は、各部における当該各ＵＳＢ規格への対応情報に基づき、ＵＳＢ１．１に対応した転送モードであるか、ＵＳＢ２．０転送モードであるか、ＵＳＢ３．０転送モードであるかを判別する。また、動作モードの表示についても、ＵＳＢ１．１に対応した動作モードを含めて、色分けして表示するようにしても良い。
【００４９】
また、本実施形態においては、判別対象の転送モードが、ＵＳＢ規格毎の転送モードであったが、転送モードは、当該転送モード毎に、データ転送の転送速度が相異するものであれば、これに限るものではない。
【００５０】
さらに、本実施形態においては、処理デバイス毎の動作モードを表示するのに、各デバイス表示領域６４の背景を色分けして表示する構成であったが、これに限るものではなく、例えば、各デバイス表示領域６４内のアイコンを色分けして表示する構成であっても良いし、各デバイス表示領域６４内に、動作モードを示すメッセージを表示する構成であっても良い。すなわち、動作モードに応じて、各デバイス表示領域６４を異なる表示形態で表示したり、各デバイス表示領域６４内に異なる情報を表示したりしても良い。
【００５１】
なお、本実施形態においては、記載を省略したが、２台のディスクドライブ１３は、同じ種類のディスク媒体を書込み対象とものであっても良いし、異なる種類のディスク媒体を書込み対象とものであっても良い。例えば、２台のディスクドライブ１３が、両方ともＤＶＤドライブであっても良いし、一方がＤＶＤドライブであり、他方がＢＤドライブであっても良い。
【００５２】
また、本実施形態においては、処理デバイス毎の動作モードを、ホストコンピューター３上で表示する構成であったが、パブリッシャー２が表示部を有し、処理デバイス毎の動作モードを、パブリッシャー２上で表示する構成であっても良い。
【００５３】
さらに、本実施形態においては、電子機器としてパブリッシャー２を例示したが、パブリッシャー２以外の複合型の電子機器を制御対象としても良い。例えば、プリンター、コピー機、スキャナーが一体化した複合機（いわゆるプリンター複合機）などに本発明を適用しても良い。
【符号の説明】
【００５４】
２：パブリッシャー、  ３：ホストコンピューター、  ４：ＵＳＢケーブル、  １３：ディスクドライブ、  １４：ディスクプリンター、  １５：オートローダー、  ２２：表示機構、  ２３：通信インターフェース、  ３２：ドライバーソフト、  ５２：転送モード判別部、  ５３：管理画面表示部
【図１】
0005938885.tif 000002
【図２】
0005938885.tif 000003
【図３】
0005938885.tif 000004